(57)【要約】【課題】部品点数の少ない簡単な構造でプラテンローラの全周面及び読取センサの原稿搬送面の清掃を容易、かつ確実に行うことができる画像読取装置を提供する。【解決手段】画像読取装置は、可動フレーム３側に、搬送路を搬送される原稿の画像を読み取る読取センサ７が配置される。固定フレーム２側には、読取センサ７に対向配置されるプラテンローラ５、プラテンローラ５の駆動源４の駆動力をプラテンローラ５に伝達するギヤ１０，１４，５１を備えるギヤ機構、ギヤ１４を回転可能に支持するアーム１３が配置される。アーム１３は、端部１３ａが付勢部材１５の付勢力により閉状態の可動フレーム２を開方向に押圧し、可動フレーム２が開方向に回動したとき、前記付勢力により可動フレーム２を押圧する方向に回動して、ギヤ１４をギヤ機構の伝達経路を遮断する方向に移動させる。【選択図】図３
2010087753.tif 000002
【特許請求の範囲】
【請求項１】
固定フレームと、該固定フレームに対して開閉する方向に回動可能に支持され、閉状態で前記固定フレームとの間に原稿の搬送路を形成する可動フレームと、を備える画像読取装置であって、
前記可動フレームの側に配置され、前記搬送路を搬送される原稿の画像を読み取る読取センサと、
前記固定フレームの側に前記読取センサに対向して配置され、前記搬送路を搬送される原稿を支持する対向部材と、
前記固定フレームの側に配置され、前記対向部材を動かすための駆動源と、
前記対向部材と前記駆動源との間に配置され、該駆動源の駆動力を前記対向部材に伝達する複数の回転体を備える伝達機構と、
前記固定フレームの側に回動可能に支持され、前記可動フレームが閉状態のとき、該可動フレームの側の部材に当接が可能な当接部を有し、前記伝達機構の少なくとも一つの回転体を回転可能に支持するアームと、
該アームに対し、前記可動フレームの開方向の回動に伴って回動するための付勢力を付与する付勢部材と、を備え、
前記アームは、前記可動フレームが開方向に回動したとき、前記付勢部材の付勢力により回動して、前記伝達機構の少なくとも一つの回転体を該伝達機構の伝達経路を遮断する方向に移動させる、ことを特徴とする画像読取装置。
【請求項２】
前記対向部材は、前記駆動源により回転駆動されるプラテンローラである、ことを特徴とする請求項１に記載の画像読取装置。
【請求項３】
前記アームは、前記プラテンローラの回転軸に回動可能に支持される、ことを特徴とする請求項２に記載の画像読取装置。
【請求項４】
前記プラテンローラの回転駆動時に、前記アームの前記当接部を有する側とは反対側の他の当接部に当接し、前記アームを位置決めする位置決め手段を備えることを特徴とする請求項２又は３に記載の画像読取装置。
【請求項５】
前記伝達機構が、ギヤ機構である、ことを特徴とする請求項１〜４のいずれか一項に記載の画像読取装置。
【発明の詳細な説明】
【技術分野】
【０００１】
本発明は、搬送される原稿の画像を読み取る画像読取装置に関する。
【背景技術】
【０００２】
従来のこの種の画像読取装置としては、例えば、図７に示すものがある。
【０００３】
この画像読取装置は、固定フレーム２と、固定フレーム２に対して開閉する方向に回動可能に支持され、閉状態で固定フレーム２との間に原稿Ｄの搬送路を形成する可動フレーム３と、を備える。
【０００４】
可動フレーム３及び固定フレーム２には、それぞれ搬送路を搬送される原稿Ｄの表面及び裏面の画像を読み取る読取センサ７及び読取センサ８が配置されている。
【０００５】
可動フレーム３には、読取センサ８に対向配置されて、搬送される原稿Ｄを支持するプラテンローラ６と、互いに噛合する複数のギヤ１１，１２，６１を備えるギヤ機構と、が配置されている。
【０００６】
また、固定フレーム２には、読取センサ７に対向配置されて、搬送される原稿Ｄを支持するプラテンローラ５と、互いに噛合する複数のギヤ１０，１４，５１を備えるギヤ機構と、プラテンローラ５，６を回転駆動させるためのモータ４が配置されている。
【０００７】
モータ４の駆動力が、タイミングベルト９を介してギヤ１０、ギヤ１４及びギヤ５１に伝達されることで、プラテンローラ５が回転駆動され、また、ギヤ１０からギヤ１１、ギヤ１２及びギヤ６１に伝達されることで、プラテンローラ６が回転駆動される。
【０００８】
そして、可動フレーム３を開方向（矢印ｒ方向）に回動させることで、可動フレーム３側のギヤ１１と固定フレーム２側のギヤ４との噛合が解除され、この状態で、ジャム処理やプラテンローラ５，６及び読取センサ７，８等の清掃が行われる。
【０００９】
上記従来の画像読取装置では、可動フレーム３側のプラテンローラ６の清掃時には、モータ４の駆動力の伝達経路が遮断されているため、プラテンローラ６を比較的容易に手動で回転させて清掃を行うことができる。
【００１０】
しかし、固定フレーム２側のプラテンローラ５の清掃時には、モータ４の駆動力の伝達経路が遮断されていないため、プラテンローラ５を手動で回転させにくく、清掃作業の効率が悪い。
【００１１】
そこで、プラテンローラ５を可動フレーム３で支持することで、可動フレーム３を開回動させた際に、プラテンローラ５の回転軸のギヤ５１とギヤ１４との噛合を解除し、これにより、モータ４の駆動力の伝達経路を遮断する技術が提案されている（特許文献１）。
【００１２】
また、可動フレーム３の開回動に連動して移動するリンク部材（不図示）によりアーム（不図示）を回動させて、アームに取り付けられたギヤ（例えばギヤ１４）をモータ４の駆動力の伝達経路を遮断する方向に移動させる技術が提案されている（特許文献２）。
【特許文献１】実開平７−２０７５６号公報
【特許文献２】特開２００５−２０５７２７号公報
【発明の開示】
【発明が解決しようとする課題】
【００１３】
しかし、上記特許文献１では、プラテンローラ５が読取センサ７に対して常に対向する位置に配置されることになるため、読取センサ４の原稿Ｄの搬送面の清掃ができなくなるという問題がある。
【００１４】
また、上記特許文献２では、可動フレーム３の開回動に連動して移動するリンク部材が必須となるため、部品点数が増えるとともに、構造が複雑になるという問題がある。
【００１５】
そこで、本発明は、部品点数の少ない簡単な構造で対向部材の全面及び読取センサの原稿搬送面の清掃を容易、かつ確実に行うことができる画像読取装置を提供することを目的とする。
【課題を解決するための手段】
【００１６】
上記目的を達成するために、本発明の画像読取装置は、固定フレームと、該固定フレームに対して開閉する方向に回動可能に支持され、閉状態で前記固定フレームとの間に原稿の搬送路を形成する可動フレームと、を備える画像読取装置であって、前記可動フレームの側に配置され、前記搬送路を搬送される原稿の画像を読み取る読取センサと、前記固定フレームの側に前記読取センサに対向して配置され、前記搬送路を搬送される原稿を支持する対向部材と、前記固定フレームの側に配置され、前記対向部材を動かすための駆動源と、前記対向部材と前記駆動源との間に配置され、該駆動源の駆動力を前記対向部材に伝達する複数の回転体を備える伝達機構と、前記固定フレームの側に回動可能に支持され、前記可動フレームが閉状態のとき、該可動フレームの側の部材に当接が可能な当接部を有し、前記伝達機構の少なくとも一つの回転体を回転可能に支持するアームと、該アームに対し、前記可動フレームの開方向の回動に伴って回動するための付勢力を付与する付勢部材と、を備え、前記アームは、前記可動フレームが開方向に回動したとき、前記付勢部材の付勢力により回動して、前記伝達機構の少なくとも一つの回転体を該伝達機構の伝達経路を遮断する方向に移動させることを特徴とする。
【発明の効果】
【００１７】
本発明によれば、部品点数の少ない簡単な構造で対向部材の全面及び読取センサの原稿搬送面の清掃を容易、かつ確実に行うことができる。
【発明を実施するための最良の形態】
【００１８】
以下、本発明の実施形態を図を参照して説明する。
【００１９】
（第１の実施形態）
まず、図１〜図３を参照して、本発明の第１の実施形態である画像読取装置について説明する。
【００２０】
図１は本発明の第１の実施形態である画像読取装置を説明するための概略断面図、図２は図１に示す画像読取装置の駆動時の状態を示す概略断面図、図３は図１に示す画像読取装置の可動フレームを開いた状態を示す概略断面図である。
【００２１】
図１に示すように、本実施形態の画像読取装置１は、固定フレーム２と、固定フレーム２に対して開閉する方向に回動可能に支持され、閉状態で固定フレーム２との間に原稿Ｄの搬送路を形成する可動フレーム３と、を備える。
【００２２】
可動フレーム３及び固定フレーム２には、それぞれ搬送路を搬送される原稿Ｄの表面及び裏面の画像を読み取る読取センサ７及び読取センサ８が配置されている。
【００２３】
可動フレーム３には、読取センサ８に対向配置されて、搬送される原稿Ｄを支持するプラテンローラ（対向部材）６と、互いに噛合する複数のギヤ１１，１２，６１を備えるギヤ機構と、が配置されている。ギヤ６１は、プラテンローラ６の回転軸に取り付けられている。
【００２４】
固定フレーム２には、読取センサ７に対向配置されて、搬送される原稿Ｄを支持するプラテンローラ５と、互いに噛合する複数のギヤ（回転体）１０，１４，５１を備えるギヤ機構（伝達機構）とが配置されている。プラテンローラを回転させる機構は、例えば、略白色部と略黒色部とを有するプラテンローラを用いて対向部材の色を変更するときに用いる。また、プラテンローラを回転させる機構は、プラテンローラの傷や汚れの付いた箇所を避けるときに用いてもよい。
【００２５】
ギヤ１０は、可動フレーム３側のギヤ１１に噛合するように配置され、ギヤ５１は、プラテンローラ５の回転軸に取り付けられている。
【００２６】
また、固定フレーム２には、プラテンローラ５，６を回転駆動させるためのモータ（駆動源）４、及びギヤ１４を回転可能に支持するアーム１３が配置されている。
【００２７】
アーム１３は、プラテンローラ５の回転軸に回動可能に支持されており、可動フレーム２の閉状態時には、当接部である一方の端部１３ａが該可動フレーム２の先端部に当接する。なお、本実施形態では、アーム１３の回動支点は、ギヤ１４の支持部と可動フレーム２に当接する端部１３ａとの間に配置される。また、可動フレーム２に当接する当接部をアーム１３の端部以外に設けてもよい。当接部に当接する部材は、可動フレーム２側の任意の部材でよく、可動フレーム２に連動する部材も含む。
【００２８】
また、閉状態の可動フレーム２に当接するアーム１３に対しては、トーションばね（付勢部材）１５により該可動フレーム２を開方向へ押圧する付勢力が付与されている。
【００２９】
換言すれば、アーム１３は、閉状態の可動フレーム２によってトーションばね１５の付勢力に抗して押し込まれた状態となっており、この状態でアーム１３に回転可能に支持されたギヤ１４がギヤ１０及びギヤ５１に噛合している。
【００３０】
そして、モータ４の駆動力が、タイミングベルト９を介してギヤ１０、ギヤ１４及びギヤ５１に伝達されることで、プラテンローラ５が回転駆動される。また、モータ４からギヤ１０に伝達された駆動力が、ギヤ１０からギヤ１１、ギヤ１２及びギヤ６１に伝達されることで、プラテンローラ６が回転駆動される。
【００３１】
ここで、プラテンローラ５の回転駆動時には、図２に示すように、ギヤ１０の駆動力がギヤ１４をギヤ１０に食い込ませる方向にアーム１３を回転させようとする。
【００３２】
このため、本実施形態では、プラテンローラ５の回転駆動時に、アーム１３の端部１３ａの反対側の他方の端部１３ｂが突き当たる位置決め部２ａを固定フレーム２に設け、これにより、ギヤ１４がギヤ１０に食い込むことを防止している。
【００３３】
そして、ジャム処理やプラテンローラ５，６及び読取センサ７，８等の清掃を行う際には、図３に示すように、可動フレーム２を開方向に回動させて、搬送路を開放する。
【００３４】
このとき、アーム１３は、可動フレーム２に当接する側の端部１３ａがトーションばね１５の付勢力により可動フレーム２を押圧する方向に回動して、ギヤ機構のギヤ１４をギヤ１０及びギヤ５１から離間する方向に移動させる。これにより、モータ４の駆動力をプラテンローラ５に伝達するギヤ機構の伝達経路が遮断される。
【００３５】
以上説明したように、本実施形態では、可動フレーム２を開方向に回動させた際に、モータ４の駆動力をプラテンローラ５に伝達するギヤ機構の伝達経路が遮断されるので、プラテンローラ５を読取センサ７から離れた位置で手動で容易に回転させることができる。これにより、プラテンローラ５の全周面及び読取センサ７の原稿搬送面の清掃を容易、かつ確実に行うことができる。
【００３６】
また、本実施形態では、プラテンローラ５の回転駆動時に、アーム１３の他方の端部（他の当接部）１３ｂが位置決め部２ａに突き当たってギヤ１４がギヤ１０に食い込むことが防止されるので、該食い込みによる騒音の発生やギヤ等の破損を防止することができる。なお、位置決め部２ａに当接するアーム１３の他の当接部は、アーム１３の端部以外であってもよい。
【００３７】
更に、本実施形態では、アーム１３を回動させるリンク部材が不要となるため、部品点数が削減されて、構造を簡略化することができる。
【００３８】
（第２の実施形態）
次に、図４〜図６を参照して、本発明の第２の実施形態である画像読取装置について説明する。
【００３９】
図４は本発明の第２の実施形態である画像読取装置を説明するための概略断面図、図５は図４に示す画像読取装置の駆動時の状態を示す概略断面図、図６は図４に示す画像読取装置の可動フレームを開いた状態を示す概略断面図である。なお、上記第１の実施形態に対して重複又は相当する部分については、各図に同一符号を付してその説明を省略する。
【００４０】
上記第１の実施形態では、アーム１３がプラテンローラ５の回転軸に回動可能に支持されているのに対し、本実施形態では、図４〜図６に示すように、アーム１３がギヤ１０の回転軸に回転可能に支持されている。
【００４１】
そして、可動フレーム２の閉状態時には、アーム１３の一方の端部１３ａは、可動フレーム２の基端部に当接する。その他の構成及び作用効果は、上記第１の実施形態と同様である。可動フレーム２に当接する当接部をアーム１３の端部以外に設けてもよく、また、位置決め部２ａに当接するアーム１３の他の当接部をアーム１３の端部以外に設けてもよいことも上記第１の実施形態と同様である。
【００４２】
なお、本発明は上記各実施形態に例示したものに限定されるものではなく、本発明の要旨を逸脱しない範囲において適宜変更可能である。
【００４３】
例えば、上記各実施形態では、伝達機構として複数のギヤを備えるギヤ機構を採用したが、これに限定されない。例えば、伝達機構としてプーリ−ベルト機構を採用して、複数のプーリのうちの少なくとも一つのプーリをアーム１３で回転可能に支持するようにしてもよい。
【００４４】
この場合、可動フレーム２が開方向に回動したときのアーム１３の回動動作により、該アーム１３に支持されたプーリをベルトを緩める方向に移動させることで、モータ４の駆動力をプラテンローラ５に伝達するプーリ−ベルト機構の伝達経路を遮断する。
【００４５】
また、上記各実施形態では、対向部材としてプラテンローラを例示したが、これに限定されず、例えば、半円形や扇形等の断面を有する対向部材を用いてもよく、これらの対向部材の回転角度は３６０°未満に制限されていてもよい。
【図面の簡単な説明】
【００４６】
【図１】本発明の第１の実施形態である画像読取装置を説明するための概略断面図である。
【図２】図１に示す画像読取装置の駆動時の状態を示す概略断面図である。
【図３】図１に示す画像読取装置の可動フレームを開いた状態を示す概略断面図である。
【図４】本発明の第２の実施形態である画像読取装置を説明するための概略断面図である。
【図５】図４に示す画像読取装置の駆動時の状態を示す概略断面図である。
【図６】図４に示す画像読取装置の可動フレームを開いた状態を示す概略断面図である。
【図７】従来の画像読取装置を説明するための概略断面図である。
【符号の説明】
【００４７】
Ｄ    原稿
１    画像読取装置
２    固定フレーム
２ａ  位置決め部
３    可動フレーム
４    モータ
５    プラテンローラ
６    プラテンローラ
７    読取センサ
８    読取センサ
９    タイミングベルト
１０  ギヤ
１１  ギヤ
１２  ギヤ
１３  アーム
１４  ギヤ
１５  トーションばね
５１  ギヤ
６１  ギヤ
【図１】
2010087753.tif 000003
【図２】
2010087753.tif 000004
【図３】
2010087753.tif 000005
【図４】
2010087753.tif 000006
【図５】
2010087753.tif 000007
【図６】
2010087753.tif 000008
【図７】
2010087753.tif 000009